(57)【要約】【課題】ＪＡＭ処理時における原稿やアクチュエータ部の破損を防止する原稿送り装置及びこれを搭載した画像形成装置を提供する。【解決手段】原稿トレイ(22)から搬送路(29)を経由して搬送された原稿の画像面を読み取り、原稿を排出トレイ(24)に送出する原稿送り装置(20)であって、搬送路をその内部に有した筐体(21)と、筐体の一端に回動自在に支持されており、搬送路を開閉可能な搬送ガイド(25)と、搬送路における原稿の搬送を検知するスイッチ部材(31)とを具備し、スイッチ部材は、搬送路に突出して原稿に接触することにより、搬送ガイド内に向けて移動するアクチュエータ部(57)と、搬送ガイドが搬送路を開いた場合には、アクチュエータ部を搬送ガイド内に向けて退避させる突出規制部(59)とを有する。【選択図】図６
2010064851.tif 000002
【特許請求の範囲】
【請求項１】
原稿トレイから搬送路を経由して搬送された原稿の画像面を読み取り、該原稿を排出トレイに送出する原稿送り装置であって、
前記搬送路をその内部に有した筐体と、
該筐体の一端に回動自在に支持されており、前記搬送路を開閉可能な搬送ガイドと、
前記搬送路における前記原稿の搬送を検知するスイッチ部材とを具備し、
該スイッチ部材は、
前記搬送路に突出して前記原稿に接触することにより、前記搬送ガイド内に向けて移動するアクチュエータ部と、
前記搬送ガイドが前記搬送路を開いた場合には、前記アクチュエータ部を該搬送ガイド内に向けて退避させる突出規制部と
を有することを特徴とする原稿送り装置。
【請求項２】
請求項１に記載の原稿送り装置であって、
前記スイッチ部材は、
前記原稿の有無を判定するフォトインタラプタと、
前記原稿との接触によって駆動するアクチュエータとを備え、
該アクチュエータは、
前記搬送ガイドに回動自在に支持される軸部と、
該軸部に一体形成され、前記搬送路に突出して前記原稿に接触することにより、該軸部を回動させる前記アクチュエータ部と、
該軸部に一体形成され、該軸部の回動によって前記フォトインタラプタからの光を遮光する遮光部と、
前記軸部に一体形成され、前記搬送ガイドが前記搬送路を開いた場合には、前記アクチュエータ部を該搬送ガイド内に向けて退避させる前記突出規制部と
を有することを特徴とする原稿送り装置。
【請求項３】
請求項２に記載の原稿送り装置であって、
前記突出規制部は、前記軸部に設置されたウエイトであり、前記搬送ガイドが前記搬送路を閉じた場合に、前記軸部の軸心を通る略垂直線よりも前記原稿トレイ側であって、該軸心を通る略水平線よりも前記搬送路側に配置されていることを特徴とする原稿送り装置。
【請求項４】
請求項１から３のいずれか一項に記載の原稿送り装置を搭載したことを特徴とする画像形成装置。
【発明の詳細な説明】
【技術分野】
【０００１】
本発明は、原稿を所定の画像読取位置に搬送する原稿送り装置及びこれを搭載した画像形成装置に関する。
【背景技術】
【０００２】
この種の画像形成装置は、原稿送り装置や画像読取部を搭載しており、原稿送り装置の原稿トレイにセットされた原稿は画像読取部の画像読取位置に向けて搬送され、その画像面が読み取られる。
そして、電子写真プロセスを用いる画像形成装置では、感光体ドラムを予め帯電し、このドラムの表面にレーザ光を照射して静電潜像を形成する。次いで、現像されたトナー画像を用紙に転写及び定着する。
【０００３】
ここで、原稿トレイから搬送された原稿は、セットスイッチを通過することにより検知される（例えば、特許文献１参照）。詳しくは、このスイッチは、原稿に接触可能なアクチュエータ部を有しており、搬送ガイドを閉じた通常時には、アクチュエータ部は搬送路に向けて飛び出している。
【０００４】
【特許文献１】特開平５−１７８４３９号公報
【発明の開示】
【発明が解決しようとする課題】
【０００５】
ところで、この原稿が移動中に装置内で詰まった場合には、搬送ガイドを開いて原稿を搬送路から取り出す必要があるが、上述した従来の技術では、このＪＡＭ処理時に、取り出した原稿やアクチュエータ部が破損し得るとの問題がある。
なぜならば、搬送ガイドを閉じた通常時の他、搬送ガイドを開いたＪＡＭ処理時のいずれにおいても、アクチュエータ部が搬送ガイドよりも外方向に向けて飛び出しており、取り出した原稿或いはユーザとアクチュエータ部とが接触するからである。
【０００６】
このように、アクチュエータ部の飛び出しについては何等かの措置が必要になるが、上記従来の技術では格別な配慮がなされていない。
そこで、本発明の目的は、上記課題を解消し、ＪＡＭ処理時における原稿やアクチュエータ部の破損を防止する原稿送り装置及びこれを搭載した画像形成装置を提供することである。
【課題を解決するための手段】
【０００７】
上記目的を達成するための第１の発明は、原稿トレイから搬送路を経由して搬送された原稿の画像面を読み取り、原稿を排出トレイに送出する原稿送り装置であって、搬送路をその内部に有した筐体と、筐体の一端に回動自在に支持されており、搬送路を開閉可能な搬送ガイドと、搬送路における原稿の搬送を検知するスイッチ部材とを具備し、スイッチ部材は、搬送路に突出して原稿に接触することにより、搬送ガイド内に向けて移動するアクチュエータ部と、搬送ガイドが搬送路を開いた場合には、アクチュエータ部を搬送ガイド内に向けて退避させる突出規制部とを有する。
【０００８】
第１の発明によれば、原稿は原稿トレイから搬送路に向けて搬送され、その画像面が読み取られると、排出トレイに送出される。
ここで、原稿送り装置は、筐体と、搬送ガイドと、スイッチ部材とをそれぞれ備えており、搬送ガイドは、筐体の一端にて回動自在に支持され、搬送路を開閉する。また、スイッチ部材は、搬送路における原稿の搬送を検知する。
【０００９】
詳しくは、このスイッチ部材は、アクチュエータ部と、突出規制部とを含んで構成されており、アクチュエータ部は、搬送路に突出して原稿に接触することにより、搬送ガイド内に向けて移動する。一方、搬送ガイドが搬送路を開いた場合には、突出規制部が、アクチュエータ部を搬送ガイド内に向けて退避させる。
よって、搬送ガイドの開放時にはアクチュエータ部の飛び出しが少なくなり、従来に比して原稿やユーザに触れ難くなる結果、この原稿の破損やアクチュエータ部の破損を回避できる。
【００１０】
第２の発明は、第１の発明の構成において、スイッチ部材は、原稿の有無を判定するフォトインタラプタと、原稿との接触によって駆動するアクチュエータとを備え、このアクチュエータは、搬送ガイドに回動自在に支持される軸部と、軸部に一体形成され、搬送路に突出して原稿に接触することにより、軸部を回動させる上述したアクチュエータ部と、軸部に一体形成され、軸部の回動によってフォトインタラプタからの光を遮光する遮光部と、軸部に一体形成され、搬送ガイドが搬送路を開いた場合には、アクチュエータ部を搬送ガイド内に向けて退避させる上述の突出規制部とを有することを特徴とする。
第２の発明によれば、第１の発明の作用に加えてさらに、スイッチ部材がフォトインタラプタ及びアクチュエータからなるセットスイッチであれば、既存の構成に突出規制部を設ければ足りるので、製造コストの低廉化が図られる。
【００１１】
第３の発明は、第２の発明の構成において、突出規制部は、軸部に設置されたウエイトであり、搬送ガイドが搬送路を閉じた場合に、軸部の軸心を通る略垂直線よりも原稿トレイ側であって、軸心を通る略水平線よりも搬送路側に配置されていることを特徴とする。
第３の発明によれば、第２の発明の作用に加えてさらに、アクチュエータの重心位置が従来に比して改良されており、搬送ガイドが搬送路を開いた際に、そのアクチュエータ部の先端を搬送ガイド内に向けて確実に退避可能になる。
【００１２】
第４の発明は、第１から３のいずれかの原稿送り装置を搭載した画像形成装置であることを特徴とする。
第４の発明によれば、第１から第３の発明の作用に加えてさらに、原稿やアクチュエータ部の破損を回避できることにより、ユーザに原稿を再度準備させなくて済むし、また、画像形成装置の停止期間も短くて済み、画像形成装置の信頼性も向上する。
【発明の効果】
【００１３】
本発明によれば、搬送ガイドが搬送路を開いた場合に、アクチュエータ部を搬送ガイド内に向けて退避させる突出規制部を有しており、原稿の破損やアクチュエータ部の破損を回避する原稿送り装置及びこれを搭載した画像形成装置を提供することができる。
【発明を実施するための最良の形態】
【００１４】
以下、本発明の実施形態について図面を参照しながら説明する。
図１には、画像形成装置の一例である複合機１の正面側からみた断面が示されている。
本実施例の複合機１は、胴内排紙型の装置本体２を有しており、排紙トレイ１４が画像読取部７の下側に形成されている。
【００１５】
装置本体２の上側、つまり、画像読取部７の上側には原稿送り装置２０が搭載され、この装置２０は、原稿を所定の画像読取位置に自動搬送可能に構成されている（ＡＤＦ：Ａｕｔｏ  Ｄｏｃｕｍｅｎｔ  Ｆｅｅｄｅｒ）。詳しくは、複合機１を複写機やファクシミリ、ネットワークスキャナとして利用するときには、この送り装置２０から原稿を搬送し、その画像面は画像読取部７にて光学的に読み取られる。
【００１６】
一方、装置本体２の下部にはフロントローディング式の用紙供給装置が配置されている。具体的には、本実施例の供給装置には、本体２の高さ方向に沿って上下２段の給紙カセット３が備えられている。そして、各カセット３はいずれも本体２に対して着脱可能に構成され、複合機１の正面側に向けて引き出されると、カセット３の内部が外部に対して開かれる一方、複合機１の背面側に向けて押し込まれると、その内部が閉じられる。
【００１７】
また、同図にて実線で示された矢印は用紙の搬送経路及びその搬送方向を表している。
各カセット３には画像形成前の各種の用紙Ｐが積層状態で収容され、この用紙Ｐはカセット３から１枚ずつ分離され、左方向に向けて送出される。そして、搬送路４の用紙Ｐは装置本体２の左側面に沿って上方に向けて搬送される。
【００１８】
また、本体２の右側面には開閉式の手差しトレイ５が備えられており、このトレイ５から送出された用紙も搬送路６に搬送され、その後、上方に向けて搬送される。
この本体２の内部には、用紙搬送方向で見て下流側にレジストローラ、画像形成部９及び転写部１０が順番に配置されている。画像形成部９の右方には露光部８やトナーコンテナ１１が備えられており、露光部８からは画像形成部９の感光体ドラムに向けてレーザ光Ｌが照射され、トナーコンテナ１１からのトナーが現像される。
【００１９】
用紙搬送方向で見て転写部１０の下流側には、定着部１２、及び排出分岐部１３が順番に配置され、片面印刷の場合には、定着部１２から排出された用紙は排出ローラ１５を経て排紙トレイ１４に排出される。
一方、排出分岐部１３と搬送路４との間には両面印刷用ユニット１６が配置されており、このユニット１６では定着部１２から排出された用紙を搬送路４に戻し、画像形成部９に向けて再び送出する。
【００２０】
ここで、上述した原稿送り装置２０は、同図の右方に配置した原稿を左方に向けて搬送し、再び右方に向けて排出可能な送り装置本体（筐体）２１を有している。
具体的には、図２に示されるように、送り装置本体２１は、その中央部分から右斜め上方に向けて延びた原稿トレイ２２を有しており、このトレイ２２は、当該中央部分にて本体２１に回動可能に構成されており、画像読取部７で読み取られる前の原稿はトレイ２２上にセットされる。
【００２１】
この装置本体２１は、原稿トレイ２２の左側に給紙カバー（搬送ガイド）２５を備えている（図２，３）。この給紙カバー２５は、支点位置Ｓ（図３中に×印で示す）にて本体２１に回動自在に支持されており、搬送路２９を外部に対して開閉することができる。つまり、同図に示された状態のカバー２５は搬送路２９を閉じており、カバー２５の外面は送り装置２０の天面に相当する一方、このカバー２５の内面は後述する搬送路２９のガイド面５３（図４，６等）として機能している。
【００２２】
ここで、図３にて破線で囲まれたカバー２５が原稿トレイ２２側から離れ、支点位置Ｓに対して図２，３で見て反時計回りに回動すると、搬送路２９が開かれ、この搬送路２９の周囲に配設された各種のローラを視ることができる。
詳しくは、この搬送路２９には、原稿トレイ２２からの原稿搬送方向で見て、ピックアップローラ３０、分離ローラ対３３、レジストローラ３５が順番に配置されている。
【００２３】
ピックアップローラ３０は、給紙カバー２５に設置されており（図３，４）、原稿トレイ２２の最上層に位置する原稿に接触し、当該原稿を分離ローラ対３３に向けて送出する。この原稿の搬送の有無はセットスイッチ（スイッチ部材）３１で検知され、その原稿の向き等は位置センサ３２で検知される。これらセットスイッチ３１や位置センサ３２もカバー２５に設置されている。
【００２４】
分離ローラ対３３は、給紙カバー２５と送り装置本体２１とにそれぞれ設けられ、当該原稿を所定の搬送圧力でレジストローラ３５に向けて１枚ずつ送出し、密着型センサ（ＣＩＳ：Ｃｏｎｔａｃｔ  Ｉｍａｇｅ  Ｓｅｎｓｏｒ）３７へと送出する。
本実施例の密着型センサ３７は、給紙カバー２５の支点位置Ｓの近傍にて本体２１に設置されており、読み取りローラ３６と協働して原稿の下面、つまり、原稿トレイ２２に直接に対峙した側の面を読み取っている。
【００２５】
また、原稿搬送方向で見て密着型センサ３７の下流側には、用紙ガイド３８、排出ローラ４２、排出トレイ２４が順番に配置されており、このガイド３８は、画像読取部７のコンタクトガラス３９、具体的には、給紙カバー２５の支点位置Ｓ近傍に位置した表側読取用ガラス４０に対峙して装置本体２１に設置され、原稿の上面、つまり、密着型センサ３７で読み取られる面とは反対側の面を、画像読取部７内のミラーやレンズ等を介して同じく画像読取部７内に配置されたＣＣＤが読み取る。
【００２６】
そして、その画像面が読み取られた原稿は、排出ローラ４２を経て排出トレイ２４に排出される。
なお、上述した原稿の同時読み取りの他、これらトレイ２２，２４の間に配置された反転トレイ２３を利用しても良い。つまり、原稿は、その上面が上記ＣＣＤで読み取られると、図３で見て右斜め上方に位置する反転トレイ２３に向けて送出され、当該上面がトレイ２３に直接に対峙した状態で到達する。その後、このトレイ２３の原稿が搬送路２９へスイッチバックして同図で見て左斜め上方に向けて送出されると、この原稿の下面が上記ＣＣＤで読み取られる。
【００２７】
一方、本実施例の原稿送り装置２０は、原稿押さえとしても機能する。詳しくは、送り装置本体２１は、複合機１の背面側にて装置本体２に回動自在に支持されており、この本体２１は画像読取部７に対して開閉することができる。
そして、当該本体２１の下面には押圧板４３が設けられており、この押圧板４３は手置き読取用ガラス４１に対峙し、このガラス４１に載置した原稿を押圧板４３で押さえつけておき、所定ボタンを押下げると、画像読取部７は当該原稿の画像面を読み取ることができる。
【００２８】
なお、この図３の参照符号３４は、原稿の詰まりを検出する検知センサであり、また、本実施例の本体前面２６は、透明或いは半透明の透過部材２８が嵌め込まれた窓部２７を備えている（図２）。
ここで、本実施例のセットスイッチ３１は、給紙カバー２５が搬送路２９を開いた場合には、このカバー２５の内部に向けて退避可能に構成されている。
【００２９】
具体的には、セットスイッチ３１はフォトインタラプタ５４を備えており（図４）、本実施例のフォトインタラプタ５４は、カバー２５の内部に設けられている。そして、対向する発光部と受光部を有し、後述する如くこの発光部からの光を受光部で検出することによって原稿の有無を判定しており、この判定信号は図示しないコントローラに向けて出力される。
【００３０】
また、スイッチ３１は、この図４で見てフォトインタラプタ５４の右側にアクチュエータ５５を備え、このアクチュエータ５５は、原稿との接触を回動に変換する機能を有している。
詳しくは、アクチュエータ５５は、図５，６にも示されるように、複合機１の正面側から背面側に向けて延びた軸部５６を有し、この軸部５６はカバー２５内にて回動自在に支持されている。
【００３１】
この図５，６で見て軸部５６の手前側には、アクチュエータ部５７が一体形成され、カバー２５が搬送路２９を閉じた場合には、その自重でガイド面５３の下側に突出しており、原稿に接触可能に構成されている。
さらに、この図で見てアクチュエータ部５７の奥側には、遮光部５８が軸部５６に一体形成されており、当該姿勢にてフォトインタラプタ５４の発光部からの光を遮光している。そして、トレイ２２に原稿がセットされ、この原稿の先端がガイド面５３の下側にてアクチュエータ部５７に接触すると、アクチュエータ部５７、軸部５６及び遮光部５８は同図で見て時計回りに回動する。これにより、上記発光部からの光は上記受光部に達し、上述したピックアップローラ３０、レジストローラ３５や排出ローラ４２等は待機状態になる。そして、これら各ローラ３０等は所定ボタンの押下げに伴って駆動し、原稿の搬送が開始される。
【００３２】
続いて、総ての原稿が搬送路２９に向けて送出されると、アクチュエータ部５７はその自重で垂下し、軸部５６や遮光部５８も同図で見て反時計回りに回動する。これにより、遮光部５８が上記発光部から上記受光部への光を遮るので、原稿の搬送終了を判定でき、その後、各ローラ３０等は駆動停止になる。
ところで、上述した軸部５６にはウエイト（突出規制部）５９が設置されている。具体的には、本実施例のウエイト５９は、軸部５６の軸線方向に沿って一体形成されており、カバー２５が搬送路２９を閉じた状態を示した図５，６の如く、軸部５６の軸心を通る略垂直線よりも原稿トレイ２２側であって、この軸心を通る略水平線よりも搬送路２９側、より詳しくは、複合機１の正面側からみれば時計の約３時の方向から約６時の方向に亘って設けられ、遮光部５８の延設方向とは反対側に配置されている。
【００３３】
そして、上述の原稿送り装置２０では、原稿は、原稿トレイ２２にセットされ、所定ボタンの押下げにより、画像読取部７の画像読取位置に向けて搬送されて読み取られ、排出トレイ２４に排出される。或いは、コンタクトガラス３９にセットされ、押圧板４３で押しつけられた原稿は、所定ボタンの押下げにより同じく画像読取部７で読み取られる。
【００３４】
一方、この原稿送り装置２０を搭載した複合機１では、カセット４やトレイ５から用紙が１枚ずつ分離して送出され、この用紙は装置本体２内のレジストローラに到達する。このレジストローラは、用紙の斜め送りを矯正しつつ、画像形成部９で形成されるトナー画像とのタイミングを計りながら、用紙を転写部１０へと送出する。
【００３５】
また、上述した図示しないコントローラからの画像データに基づき、複合機１では露光部８によるレーザ光Ｌの照射が制御される。これにより、画像形成部９においてドラム上に原稿画像の静電潜像が作られ、続いてトナーコンテナ１１のトナーを用い、この潜像からドラム上にトナー画像が形成され、用紙に転写される。
【００３６】
その後、用紙は未定着トナー画像を担持した状態で定着部１２に向けて送られ、トナー画像を定着する。次いで、定着部１２から排出された用紙は排出分岐部１３を通ってトレイ１４に排出される。
この片面印刷に対し、両面印刷を行う場合には、定着部１２から排出された用紙はトレイ１４に排出される直前にてユニット１６側に引き戻され、この用紙は搬送路４に合流し、再び転写部１０に向けて送られる。そして、この場合には、用紙の未だ印刷がされていない面にトナー画像が転写される。
【００３７】
以上のように、本実施例によれば、原稿は原稿トレイ２２から搬送路２９に向けて搬送され、その画像面が画像読取部７で読み取られると、排出トレイ２４に送出される。
ここで、原稿送り装置２０は、送り装置本体２１と、給紙カバー２５と、セットスイッチ３１とをそれぞれ備えており、給紙カバー２５は、送り装置本体２１の支点位置Ｓにて回動自在に支持され、搬送路２９を外部に対して開閉する。また、セットスイッチ３１は、カバー２５に設置されて原稿の搬送を検知する。
【００３８】
詳しくは、このセットスイッチ３１は、アクチュエータ部５７と、ウエイト５９とを含んで構成されており、カバー２５が搬送路２９を閉じた場合には、図５，６に示されるように、アクチュエータ部５７は、搬送路２９に突出して原稿に接触することにより、カバー２５内に向けて移動する。
【００３９】
これに対し、図７に示される如くカバー２５が搬送路２９を開き、ガイド面５３が視認状態にある場合には、図５，６では複合機１の正面側から見て軸部５６の右下に設置されていたウエイト５９が、軸部５６をさらに時計回りに回動させるので、アクチュエータ部５７もまた時計回りに回動し、ガイド面５３の左側、つまり、カバー２５内に退避する（図８，９）。
【００４０】
よって、このカバー２５の開放時にはアクチュエータ部５７の飛び出しが少なくなり、従来の構成、すなわち、アクチュエータ部が搬送ガイドよりも外方向に向けて飛び出していた構成に比して、原稿やユーザに触れ難くなる結果、この原稿の破損やアクチュエータ部５７の破損を回避できる。
また、図７に示された装置本体２１とカバー２５とを連結する保持部材６０の長さを大きくすることなく、アクチュエータ部５７をカバー２５内に収容でき、送り装置２０の省スペース化に寄与する。
【００４１】
さらに、上述したフォトインタラプタ５４及びアクチュエータ５５からなるセットスイッチ３１であれば、既存の構成にウエイト５９を設ければ済むので、製造コストの低廉化が図られる。
さらにまた、アクチュエータ５５の重心位置が従来に比して改良されており、カバー２５が搬送路２９を開いた際に、そのアクチュエータ部５７の先端をカバー２５内に向けて確実に退避可能になる。
【００４２】
また、原稿やアクチュエータ部５７の破損を回避できることにより、ユーザに原稿を再度準備させなくて済むし、また、複合機１の停止期間も短くて済み、複合機１の信頼性も向上する。
本発明は、上記実施例に限定されず、特許請求の範囲を逸脱しない範囲で種々の変更を行うことができる。
【００４３】
例えば、上記実施例では、突出規制部が軸部５６に設置されたウエイト５９として説明されているが、必ずしもこの形態に限定されるものではなく、本発明の突出規制部は、アクチュエータ部５７をカバー２５内に向けて退避させる限り、この軸部の形状変更によって構成されていても良い。
また、上記実施例では、フォトインタラプタ５４がカバー２５内に設けられているが、遮光部５８をカバー２５外に配置すれば、フォトインタラプタ５４を送り装置本体２１に設けても良い。さらに、本発明のアクチュエータは、原稿有無用に限定されるものではなく、その他の搬送ガイドに設けられる搬送スイッチ（レジストスイッチ等）のアクチュエータにも適用可能である。
【００４４】
さらに、上記実施例では画像形成装置として複合機に具現化した例を示しているが、本発明は原稿送り装置を有する複写機、プリンタ等にも当然に適用可能である。
【図面の簡単な説明】
【００４５】
【図１】本実施例の複合機を概略的に示した断面正面図である。
【図２】図１の原稿送り装置の斜視図である。
【図３】図２の装置の断面正面図である。
【図４】図２の閉じた状態の搬送ガイドを上方からみた斜視図である。
【図５】図４の部分拡大図である。
【図６】図５のアクチュエータの斜視図である。
【図７】図２の搬送ガイドが開いた状態の斜視図である。
【図８】図７の搬送ガイドを上方からみた部分拡大斜視図である。
【図９】図８のアクチュエータの斜視図である。
【符号の説明】
【００４６】
１  複合機（画像形成装置）
２０  自動原稿搬送装置（原稿送り装置）
２１  送り装置本体（筐体）
２２  原稿トレイ
２４  排出トレイ
２５  給紙カバー（搬送ガイド）
２９  搬送路
３１  セットスイッチ（スイッチ部材）
５４  フォトインタラプタ
５５  アクチュエータ
５６  軸部
５７  アクチュエータ部
５８  遮光部
５９  ウエイト（突出規制部）
【図１】
2010064851.tif 000003
【図２】
2010064851.tif 000004
【図３】
2010064851.tif 000005
【図４】
2010064851.tif 000006
【図５】
2010064851.tif 000007
【図６】
2010064851.tif 000008
【図７】
2010064851.tif 000009
【図８】
2010064851.tif 000010
【図９】
2010064851.tif 000011